(57)【特許請求の範囲】
【請求項１】
歩道橋等の手すりの外側に隣接し、手すりから上方にやや突出するか又は該手すりを外側からやや斜め上方向に覆う起立した板状のパネルの上端に、自由回転するパイプを設けたことを特徴とする防鳥パネル。
【請求項２】
起立した板状のパネルの上端に芯棒を固定し、該芯棒の上で自由回転するパイプを設けたことを特徴とする請求項１に記載の防鳥パネル。
【請求項３】
芯棒とパイプの間にベアリングを設けたことを特徴とする請求項１又は２記載の防鳥パネル。
【請求項４】
板の厚さが１０ｍｍ以下の金属板であることを特徴とする請求項１〜３のそれぞれに記載の防鳥パネル。
【請求項５】
板の厚さが１〜５ｍｍの金属板であることを特徴とする請求項１〜３のそれぞれに記載の防鳥パネル。
【請求項６】
上端部で折返しされた金属板であることを特徴とする請求項１〜５のそれぞれに記載の防鳥パネル。
【請求項７】
歩道橋等の手すりに固定金具を介して取外し可能に固定できる板状のパネルであることを特徴とする請求項１〜６それぞれに記載の防鳥パネル。
【請求項８】
歩道橋等の手すりとその下のコンクリート製ブロックとの間に、前記起立した板状のパネルに連続した３０°〜６０°斜面を有する傾斜板を備えていることを特徴とする請求項１〜７のそれぞれに記載の防鳥パネル。
【請求項９】
前記起立した板状のパネルの一部又は全部に多数の通気孔を備えていることを特徴とする請求項１〜８のそれぞれに記載の防鳥パネル。
【請求項１０】
該板状のパネルの上端が、垂直面に対して、１０°〜８０°傾斜していることを特徴とする請求項１〜９のそれぞれに記載の防鳥パネル。
【請求項１１】
該板状のパネルの上端が、垂直面に対して、３０°〜６０°傾斜していることを特徴とする請求項１〜９のそれぞれに記載の防鳥パネル。
【発明の詳細な説明】
【０００１】
【発明の属する技術分野】
本発明は、鳩等の野鳥が歩道橋等の手すりに止まり、手すりを汚染すること及び通路歩行の障害となることを極力防止し、さらにその手すりの下に位置する歩道、車道、建物等の上に落下する糞公害を防止するために、手すりが鳩等の野鳥の止まり木としての役割を抑制又は妨害するための防鳥パネルに関する。
【０００２】
【従来の技術】
最近、都会や大都市では、鳩、からす等の野鳥が急激に増え、歩道、車道、建物等に落下する糞による公害が問題となっている。特に、これらの野鳥は歩道橋等の手すりに止まることが多いため、手すりが汚染され、さらにはその下の歩道、車道、建物等に糞が大量に落下するということが多く見られる。
このように、鳩やからす等の野鳥により手すりが占有されると、老人等の本来手すりを必要とする人達が、非常に難儀し、歩行障害となることが現実問題として起こっている。
【０００３】
このような鳩、からす等の野鳥の対策として、止まり木となる個所又は近傍に、防鳥網を張ったり、鋭角の鋭い突起物を設けたりすることが行なわれている。しかし、防鳥網や鋭い突起物は、美観を損ねるばかりでなく、歩行者自体もそれが障害となり、場合によってはそれによって怪我をすることさえある。
また、手すりそのものの形状を変えて、鳥が止まれないようにする提案もなされている。しかし、手すりは人間が歩行のための支えとするものであり、通常手で支持できる円筒形のパイプ又は棒であり、それ以外の特殊な形状は適当であるとは言えない。円筒形のパイプ又は棒が最も広く普及していることからも明らかである。
【０００４】
このようなことから、従来は歩道橋等の円筒形のパイプ又は棒の手すりに特別な工夫はなされておらず、そのために野鳥の格好の止まり木として利用されている。したがって、手すりは野鳥による糞の汚染とその周辺の糞公害がますます激しくなり、歩道を通ることさえ苦痛になるような状況になっている。
このようなことから、鳩、からす等の野鳥の繁殖を防止するための薬や避妊法などの工夫が行なわれているが、必ずしも実効を上げているとは言えない状況にある。
【０００５】
【発明が解決しようとする課題】
本発明は、従来の手すりを利用し、該手すりに野鳥が容易に止まることができない工夫、すなわち手すりが鳩等の野鳥の止まり木としての役割を抑制又は妨害することができる防鳥パネルを提供することを課題とする。
【０００６】
【課題を解決するための手段】
上記の課題を解決するために、本発明者らは鋭意研究を行なった結果、手すりを利用して防鳥パネルを簡単に取付けることにより、手すりが鳩等の野鳥の止まり木としての役割を抑制又は妨害することができるとの知見を得た。
本発明はこの知見に基づき、
１．歩道橋等の手すりの外側に隣接し、手すりから上方にやや突出するか又は該手すりを外側からやや斜め上方向に覆う起立した板状のパネルの上端に、自由回転するパイプを設けたことを特徴とする防鳥パネル
２．起立した板状のパネルの上端に芯棒を固定し、該芯棒の上で自由回転するパイプを設けたことを特徴とする上記１に記載の防鳥パネル
３．芯棒とパイプの間にベアリングを設けたことを特徴とする請求項１又は２記載の防鳥パネル
４．板の厚さが１０ｍｍ以下の金属板であることを特徴とする上記１〜３のそれぞれに記載の防鳥パネル
５．板の厚さが１〜５ｍｍの金属板であることを特徴とする上記１〜３のそれぞれに記載の防鳥パネル
６．上端部で折返しされた金属板であることを特徴とする上記１〜５のそれぞれに記載の防鳥パネル
７．歩道橋等の手すりに固定金具を介して取外し可能に固定できる板状のパネルであることを特徴とする上記１〜６それぞれに記載の防鳥パネル
８．歩道橋等の手すりとその下のコンクリート製ブロックとの間に、前記起立した板状のパネルに連続した３０°〜６０°斜面を有する傾斜板を備えていることを特徴とする上記１〜７のそれぞれに記載の防鳥パネル
９．前記起立した板状のパネルの一部又は全部に多数の通気孔を備えていることを特徴とする上記１〜８のそれぞれに記載の防鳥パネル
１０．該板状のパネルの上端が、垂直面に対して、１０°〜８０°傾斜していることを特徴とする上記１〜９のそれぞれに記載の防鳥パネル
１１．該板状のパネルの上端が、垂直面に対して、３０°〜６０°傾斜していることを特徴とする上記１〜９のそれぞれに記載の防鳥パネル
を提供する。
【０００７】
【発明の実施の形態】
次に、本発明の実施形態を、図を使用して説明する。
図１は、歩道橋の外側からみた本発明の一例である防鳥パネルの外観を示す図であり、図２は、歩道橋の内側、すなわち歩行者通路側から見た本発明の一例である防鳥パネル（必要により「パネル」と略記する。）の外観を示す図であり、図３は、本発明の一例である防鳥パネルの断面説明図である。
本発明は、野鳥が多く住む地域の歩道橋等の手すり１に、該歩道橋等の手すり１の外側に隣接させて板状のパネル２を設け、この板状のパネル２を手すり１から上方に、やや突出させる又は該手すりを外側からやや斜め上方向に覆うように起立させ、かつこの板状のパネル２の上端に、自由回転するパイプ３を設けたものである。
この板状のパネル２は、歩道橋の全長に亘って１個又は複数個、配置することが望ましい。好ましくは、この板状のパネル２を、固定具４を介して取外し可能に固定する。符号９は、手すり１の支柱である。固定具４としては、通常手すりの外側から覆う半円形状の金属製帯状体１０を使用するが、他の固定具を使用しても良い。
いずれにしても、固定具が、手すりとしての機能をなるべく低下又は妨げない形状とすることが必要である。
【０００８】
板状のパネル２は手すり１に隣接しているので、この板状のパネル２と手すりに止まる位置との間隔が野鳥の身体よりも小さくなり、この板状のパネル２障害となって、野鳥は手すりに止まることはなくなる。これは、大型の野鳥ほど困難となる。しかし、今度は板状のパネル２の上端に野鳥が止まる可能性が出てくる。
本発明は、上記の通りこの板状のパネル２の上端に芯棒５を固定し、該芯棒５の上でパイプ３が自由回転できるようにしたので、鳩等の野鳥がこのパイプ３に止まったときに、パイプ３は不規則に回転し、野鳥の止まり木としての機能は失われる。
鳩等の野鳥の多い地域では、わずか１０ｍ程度の長さの歩道橋に鳩等が数十羽の止まることも希ではないが、鳩等は位置及び時間的に不規則に止まるので、わずかな変動でパイプ３は前方向又は後方向に自由回転する。
これによって、鳩等の野鳥は瞬間的に止まり得ることがあっても、その止まりの状況は極めて不安定である。
したがって、野鳥の自身が回転するという危険が伴うので、止まり木として使用することはなく、それを繰返しても徒労に終わることになる。この芯棒５上で自由回転するパイプ３は、止まろうとする野鳥の数が増えるほど、不規則回転の頻度が高くなり、より野鳥の止まりを抑制する効果がある。
【０００９】
パネル２の板の厚さは通常１０ｍｍ以下、好ましくは１〜５ｍｍの金属板を使用するが、必要に応じて、上記の厚さ以上の板を使用することもできる。パネル２の板の材質は、強度や耐食性からアルミニウム製、ステンレス製等の金属板を使用するが、必要に応じて金属板以外の、例えば樹脂製又は木製とすることもできる。
この金属板製パネル２の上端部を折返して強度を持たせることもできる。図３に示すように、金属板製などのパネル２の上端に芯棒５を固定し、この芯棒５に自由回転するパイプ３を導通する。芯棒５には、強度の高いステンレス棒などを使用するのが望ましい。この状態でもパイプは回転するが、芯棒５とパイプ３の間に潤滑剤を入れたりあるいはベアリングを介在させると回転がよりスムーズに行なわれる。
【００１０】
一般には、歩道橋等の手すり１は、二本の手すりであることが多いが、一本手すり又は３本以上の手すりでも、同様に適用できる。
いずれの場合も、上の一本にのみ、手すり１から上方にやや突出するか又は該手すりを外側からやや斜め上方向に覆う起立した板状のパネル２の上端に、自由回転するパイプ３を設けることで、より効果を持たせることができる。その下の板状のパネル２は、平板状のパネルを連結するだけで良い。
また、歩道橋等の手すり１とその下の報道橋のコンクリート製ブロック６との間に、パネル２に連結した傾斜板７を設置することが望ましい。こののパネル２に連結した傾斜板７は、３０°〜６０°斜面を有するようにすると、野鳥がこの傾斜板７が障害となって、このコンクリート製ブロック６に止まることも不能となる。
【００１１】
歩道橋は、一般に地上よりも風当たりが強いので、パネル２のパネルの一部又は全部に多数の通気孔を設けることが望ましい。
図２はパネル２の垂直な面の中央に網目状の通気孔８を設けた例を示している。この通気孔は、通常パンチングによって形成するが、ラスを使用することもできる。この通気孔は、外観上も美麗であり、通気性、外側を透視できるという効果もあり、歩道を利用する者にとって、閉塞感がないという効果もある。
該板状のパネル２上端は、垂直面に対して通路の内側に向かって５°〜６０°、好ましくは２０°〜４０°傾斜していることが望ましい。これによって手すりを覆う形となり、野鳥から手すりをさらに効果的に保護することができる。
【００１２】
【発明の効果】
以上に示すように、歩道橋等の手すりの外側に隣接し、手すりから上方にやや突出するか又は該手すりを外側からやや斜め上方向に覆う起立した板状のパネルの上端に、自由回転するパイプを設けることにより、手すりが鳩等の野鳥の止まり木としての役割を抑制又は妨害する防鳥パネルを設けることにより、手すりを汚染すること及び通路歩行の障害となることを極力防止することができ、さらにその手すりの下に位置する歩道、車道、建物等の上に落下する糞公害を防止できるという優れた効果を有する。また、本発明の防鳥パネルは、既存の手すりに簡便に取付けることができるという著しい効果を有する。
【図面の簡単な説明】
【図１】歩道橋の外側からみた本発明の一例である防鳥パネルの外観を示す図である。
【図２】歩道橋の内側、すなわち歩行者通路側から見た本発明の一例である防鳥パネルの外観を示す図である。
【図３】本発明の一例である防鳥パネルの断面説明図である。
【符号の説明】
１  手すり
２  板状のパネル
３  自由回転するパイプ
４  固定具
５  芯棒
６  コンクリート製ブロック
７  傾斜板
８  網目状の通気孔
９  支柱
【図１】
0003737972.tif 000002
【図２】
0003737972.tif 000003
【図３】
0003737972.tif 000004